【事件の表示】
　平成　９年特許願第１９７８７５号「毛髪処理組成物塗布用ブラシ」拒絶査定不服審判事件〔平成１１年　１月２６日出願公開、特開平１１−　１８８３６号〕について、次のとおり審決する。
【結　論】
　本件審判の請求は、成り立たない。
【理　由】
Ｉ．手続の経緯
　本願は、平成９年７月７日の出願であって、平成１８年１１月６日付けで拒絶査定がなされ、これに対し、平成１９年１月１１日に拒絶査定不服審判の請求がなされるとともに、平成１９年２月１３日付けで明細書についての手続補正がなされたものである。
　　
II．平成１９年２月１３日付けの手続補正についての補正却下の決定
［結論］
　平成１９年２月１３日付けの手続補正（以下、「本件補正」という）を却下する。
　　
［理由］
１．補正後の本願発明
　本件補正により、特許請求の範囲の請求項１は、次のように補正された。
「片面にブラシ歯が分散立設されたブラシ台座と、該ブラシ台座から一方向に延設され、使用時に把持される握り柄と、を有し、前記ブラシ台座の前記片面に毛髪処理組成物を付着させ、所望の毛髪に対してブラッシング操作を行なうことにより該毛髪に前記毛髪処理組成物を塗布するための毛髪処理組成物塗布用ブラシにおいて、
　前記ブラシ台座の前記握り柄と反対方向の先端部に、前記ブラシ歯と反対方向へ向かって
且つ前記ブラシ台座の幅方向と略平行に
　　
２．補正の目的の適否
　本件補正は、請求項１に記載した発明を特定するために必要な事項である「刷毛」を「ブラシ台座の幅方向と略平行に」設けるように限定するものであり、かつ、補正後の請求項１に記載された発明は、補正前の請求項１に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　　
３．独立特許要件
　そこで、本件補正後の前記請求項１に記載された発明（以下、「本願補正発明」という。）が特許出願の際独立して特許を受けることができるものであるか（平成１８年法律第５５号改正附則第３条第１項により従前の例によるとされる同法による改正前の特許法第１７条の２第５項において準用する同法第１２６条第５項の規定に違反しないか）について以下に検討する。
　　
３−１．引用例の記載事項
　原査定の拒絶の理由に引用された実願平４−５５６３１号（実開平６−１５５３０号）のＣＤ−ＲＯＭ（以下、「引用例１」という。）、実願平５−１４９１３号（実開平６−３６４２３号）のＣＤ−ＲＯＭ（以下、「引用例２」という。）、及び実願平２−１２８２３１号（実開平４−８１５３６号）のマイクロフィルム（以下、「引用例３」という。）には、図面と共に次の事項が記載されている。
　　
ア．引用例１
（ア）「【請求項１】　第１のブラシ体と第２のブラシ体とを具備した毛染用ブラシであって、前記第１のブラシ体のブラシ先端で構成される仮想面に対して前記第２のブラシ体のブラシ先端で構成される仮想面を傾斜構成してなることを特徴とする毛染用ブラシ。
　　【請求項２】　第１のブラシ体と第２のブラシ体とを具備した毛染用ブラシであって、前記第１のブラシ体のブラシが構成されているベース面に対して前記第２のブラシ体のブラシが構成されているベース面を傾斜構成してなることを特徴とする毛染用ブラシ。
　　【請求項３】　第１のブラシ体のブラシは硬質で、面密度が疎なものであり、第２のブラシ体のブラシは弾性を有し、面密度が密なものであることを特徴とする請求項１または請求項２の毛染用ブラシ。
　　【請求項４】　傾斜角度θが鈍角であることを特徴とする請求項１または請求項２の毛染用ブラシ。
　　【請求項５】　第１のブラシ体のブラシ最外周に位置するブリッスル列とこれに隣接したブリッスル列との間隔ｐ１がその他のブリッスル列間隔ｐｎより小さいように構成したことを特徴とする請求項１又は請求項２の毛染用ブラシ。
　　【請求項６】　第１のブラシ体は、中央に位置する第１のブリッスル列と、この第１のブリッスル列の左右に位置する第２のブリッスル列と、この第２のブリッスル列の外側に位置する第３のブリッスル列と、この第３のブリッスル列の外側に位置する第４のブリッスル列とを具備し、第３のブリッスル列と第４のブリッスル列との間隔ｐ１ がその他のブリッスル列間隔ｐｎ より小さく、かつ、第４のブリッスル列のブリッスル長が一番長く、第２のブリッスル列のブリッスル長が一番短いように構成され、さらに、第３のブリッスル列のブリッスルと第４のブリッスル列のブリッスルとが千鳥状に構成されてなることを特徴とする請求項１、請求項２または請求項５の毛染用ブラシ。
　　【請求項７】　柄が更に設けられてなり、この柄が着脱自在であることを特徴とする請求項１〜請求項６の毛染用ブラシ。」（【特許請求の範囲】【請求項１】〜【請求項７】）
（イ）「毛髪を染めるために用いられる染毛剤の種類は多様であるが、最近では、特に二剤型のものが簡便さゆえに主流である。この二剤型の染毛剤を用いた場合には、別々のチューブから二種類のクリーム状染毛剤をブラシ上に絞出し、この染毛剤が載置された状態のブラシで毛髪を梳くことによって混合させ、毛染めが行われる。」（段落【０００２】）
（ウ）「【考案が解決しようとする課題】
　しかしながら、上記の毛染用ブラシでは、先端部を生え際や揉み上げ部に当接させた時に、後部側のブリッスル２２が頬や耳に接触することがあり、頬や耳が汚されるといった不都合があった。
　又、生え際や揉み上げ部分への染毛剤の塗布が十分に行われ難く、その作業性が悪いといった致命的な欠陥がある。なぜならば、生え際や揉み上げ部分の白髪は、特に、目に付き易いからである。
　従って、本考案の目的は、染毛剤が不要な部分、例えば頬や耳に付着し難く、かつ、毛髪の生え際や揉み上げ等への毛染剤の塗布が容易な毛染用ブラシを提供することである。
　　【課題を解決するための手段】
　上記本考案の目的は、第１のブラシ体と第２のブラシ体とを具備した毛染用ブラシであって、前記第１のブラシ体のブラシ先端で構成される仮想面に対して前記第２のブラシ体のブラシ先端で構成される仮想面を傾斜構成してなることを特徴とする毛染用ブラシによって達成される。
　特に、第１のブラシ体と第２のブラシ体とを具備した毛染用ブラシであって、前記第１のブラシ体のブラシが構成されているベース面に対して前記第２のブラシ体のブラシが構成されているベース面を傾斜構成してなることを特徴とする毛染用ブラシによって達成される。・・・（中略）・・・　又、柄が更に設けられてなり、この柄が着脱自在である毛染用ブラシであることが好ましい。
　　【作用】
　上記の如く構成させた毛染用ブラシは、例えば第１のブラシ体のベース面と第２のブラシ体のベース面とを、略へ字形状となるように構成し、かつ、各々の部分にブラシを構成させてなるから、毛髪の生え際や揉み上げ等への毛染剤の塗布に際しては第２のブラシを利用すれば効率良く、かつ、ミスを少なく実行でき、すなわち染毛剤が頬や耳に付着し難く、かつ、毛髪の生え際や揉み上げ等への毛染剤の塗布を容易に行える。
　尚、頭頂部分などにおける毛染剤の塗布は、第１のブラシ体を用いてこれまでと同様にすれば良く、問題はない。・・・（略）・・・」（段落【０００６】〜【００１２】）
（エ）「各図中、Ａは毛染用ブラシ、１は毛染用ブラシＡのブラシ台であり、このブラシ台１の下面には、ブリッスル２が垂直に所定パターンで配列されてブラシ体３が構成されている。
　尚、ブラシ体３はブラシ台１と一体成形にて構成させても良く、又、基板とブリッスルとを同一の樹脂材料で一体形成してブラシ体３となし、これをブラシ台１に接着して構成したのでも良い。そして、このブリッスル２は、これまでのものと同様比較的硬質なものとして構成されており、又、後述する通り、ブリッスル２間のピッチは比較的粗なものである。
　４はブラシ台１の延在部であり、角度θ（９０°〜１６０°、好ましくは１３０°〜１５５°、本実施例では１４０°）をなすようにブラシ台１の先端に構成されている。
　５は、多数の毛材を束ね、これを延在部４に植設してなる密毛体である。そして、この密毛体５の先端面によって構成される仮想面がブリッスル２の先端面によって構成される仮想面に対して角度θをなすように構成されている。
　尚、密毛体５はブリッスル２より弾力性に富むように構成されており、例えばナイロン、ＰＢＴあるいは豚毛が用いられる。
　６は毛染用ブラシＡの柄、７は柄６とブラシ台１との連結部であり、この連結部７の両側面には凸条の滑止部８が構成されている。
　更に、図３に示す如く、連結部７の底部には嵌合凸部９ａが、又、ブラシ台１の表面部には嵌合凸部９ａが嵌まり込む嵌合凹部９ｂが形成されており、毛染用ブラシＡは、同図に示す如く、分離され、又、連結できるように構成されている。」（段落【００１５】〜【００１７】）
（オ）「 従って、ブラシ体３においては、染毛剤が載置される空間部が長手方向に二カ所形成されることになり、図５に示す如く、第１の空間部には第１の染毛剤が、第２の空間部には第２の染毛剤が載置される。
　上記の如く構成させた毛染用ブラシＡは、図６又は図７に示すような状態にて把持されて使用される。
　すなわち、図６に示すのは、親指と人指し指で滑止部８を挟込み、更に中指を連結部７の後端に添えて保持した状態であり、図７に示すのは、親指を連結部７の底部に当て、他の指を連結部７と柄６の背部に添えて保持した状態である。
　そして、図８に示す如く、例えば揉み上げ部分への毛染剤の塗布に際しては、密毛体５のみが良好な角度で塗布箇所に当接するようになり、ブラシ体３と頬との間には適度な間隔が形成されるので、頬に染毛剤が付着する恐れがない。」（段落【００２１】〜【００２２】）
（カ）第２図〜第８図には、第１のブラシ体と毛髪の生え際や揉み上げ等への毛染剤の塗布のための第２のブラシ体とを具備した毛染用ブラシであって、ブラシ台１から一方向に延設され、使用時に保持される柄６と反対方向の先端部に、延在部４のベース面がブラシ台１のベース面と略へ字形状となるように構成した延在部４のベース面上にブリッスル２と同じ側に毛髪の生え際や揉み上げ等への毛染剤の塗布のための密毛体５を備えた第２のブラシ体が記載されている。
　
　これら記載事項及び図示内容を総合し、本願補正発明の記載ぶりに則って整理すると、引用例１には、次の発明（以下、「引用発明１」という。）が記載されていると認められる。
「下面にブリッスル２が垂直に所定パターンで配列されたブラシ台１と、該ブラシ台１から一方向に延設され、使用時に保持される柄６と、を有し、前記ブラシ台１の前記下面に染毛剤を載置し、所望の毛髪に対して梳くことにより該毛髪に前記染毛剤を塗布するための毛染用ブラシにおいて、
　前記ブラシ台１の前記柄６と反対方向の先端部に、ブラシ歯と同じ側へ毛先が延びる密毛体５を植設した延在部４を設けた毛染用ブラシ。」
　
イ．引用例２
（ア）「【請求項１】　ブラシ台、ブラシ柄及び前記ブラシ台と前記ブラシ柄を連結する連結部を有し、前記ブラシ台の下面には複数のブラシ歯列がブラシ台の長辺とほぼ平行に設けられ、前記ブラシ台の下面に染毛剤を付着させて毛染めを行う毛染め用ブラシにおいて、
　前記ブラシ台の上面に設けられたスライド溝と、
　前記ブラシ台の前記連結部と反対方向の端部に設けられた開口部と、
　前記ブラシ台の内部に設けられ、前記スライド溝と前記開口部とに連通した収納部と、
　前記スライド溝内で摺動可能に嵌合されたスライドレバーと、
　前記収納部に収納され、前記スライドレバーと一体に連結または形成された刷毛部とを備え、
　前記刷毛部が前記スライドレバーを操作することにより任意に前記開口部から前記ブラシ台の内部または外部に移動することができることを特徴とする毛染め用ブラシ。」（【実用新案登録請求の範囲】【請求項１】）
（イ）「以上の構成からなる本実施例の毛染め用ブラシ１の使用方法を次に述べる。
　最初に、ブラシ台下面３ｂに立設したブラシ歯１７を用い、毛髪全体に毛染めを行う。このときの毛染め方法としては、ペースト状の染毛剤を直接ブラシ台下面に注出し、この状態で毛髪を梳くことにより行う方法や、染毛剤（ペースト状、液状、粉末状を水に溶かしたもの等）を受け皿に注出し、その後ブラシ歯１７にその染毛剤を付着させ、この状態で毛髪を梳くことにより行う方法などが挙げられる。しかし、このような方法により毛髪全体の毛染めを行っても、もみ上げ等の毛髪の長さが短い部分や額等の毛髪の生え際には、染毛剤を充分塗布することができない。更に、毛髪に塗布された染毛剤の量が、部分的に多かったり少なかったりしてむらが生じる場合もある。
　そこで次に刷毛２９ａを用い、上記の方法で充分毛染めを行うことができなかった部分の毛染めや、むら染めになった部分の修正を行う。
　まず、スライドレバー９の指掛かりボタン９ａを、指で力を加えてブラシ台端部３ｃに設けた開口部２１方向に移動させる。このときスライドレバー９はスライド溝１９に沿って、ブラシ台３内部に設けた収納部２３の両側壁に一定間隔おきに設けられた凸部２５により、スライドレバー９を構成する連動部９ｂに設けた突起３１が１ピッチずつ送られるのに伴って、移動する。スライドレバー９の移動にしたがって、刷毛部２９が有する刷毛２９ａがブラシ台の開口部２１から外部に現出する。この１ピッチの移動により、現出する刷毛２９ａの長さが決まるため、所望の刷毛の長さを容易に選択することができる。」（段落【００１５】〜【００１６】）
（ウ）図３、図４にはブラシ台３のブラシ柄５と反対方向の先端部に、前記ブラシ台３の幅方向と平行に設けられた刷毛２９ａが記載されている。
　
　これら記載事項及び図示内容を総合し、本願補正発明の記載ぶりに則って整理すると、引用例２には、次の発明（以下、「引用発明２」という。）が記載されていると認められる。
「もみ上げ等の毛髪の長さが短い部分や額等の毛髪の生え際に染毛剤を塗布するための刷毛を備えた毛染め用ブラシであって、ブラシ台３のブラシ柄５と反対方向の先端部に、ブラシ台３の幅方向と平行に刷毛２９ａを設けた毛染め用ブラシ。」
　
ウ．引用例３
（ア）「１　ハケとブラシを上下逆方向に設けた座部と柄部の間に、上下方向に平坦状面を形成して成る摘み部を設けたことを特徴とする染毛用塗布具。
２　ハケとブラシの少なくとも一方を、柄部に対して広がる角度として設けた請求項１記載の染毛用塗布具。
３　柄部、摘み部、座部及びブラシを合成樹脂の一体成形により形成し、ハケを前記座部に植毛して形成した請求項１、２記載の染毛用塗布具。」（実用新案登録請求の範囲）
（イ）「ブラシを用いて染毛する場合には、全体を染めるのに速くできるし、１剤、２剤をブラシに乗せて、そのまま毛髪に塗布し、毛髪上で混合して染液をつくることもできる。この場合、染毛操作は簡単であるが、毛髪の根元に染液が塗布しにくいという問題点があった。
　また、ハケを用いて染毛する場合には、毛髪の根元に染液を確実に塗布することは出来るが、１剤、２剤を予め混合しなければならず、全体を染めるのに時間がかかるという問題点があった。
〔考案が解決しようとする課題〕
　この考案が解決しようとする課題は、ブラシの簡便さと、ハケの確実さを併せた使いがってのよい染毛用塗布具を提供することにある。」（第２頁第９行〜第３頁第２行）
（ウ）「そこで染毛時に、先ず１剤と２剤を目を荒く形成したブラシ（４）上に絞り出して、ブラシ（４）に保持させる。この状態でブラシ（４）が保持する染液を染毛の必要な頭髪部分に塗り付ける。この時頭髪には１剤と２剤は荒く塗られるが、きめ細かくさらに生え際にまで至らない。
　次に柄部（１）を１８０°回動させて、頭髪への接触をブラシ（４）からハケ（５）に変え、ハケ（５）を動かして染液を頭髪に塗り付ける。」（第６頁第７行〜第１５行）
（エ）第２図には、座部３のブラシ４を備えた面を延長してなる仮想面とハケ５の毛先が向く方向を延長してなる仮想面とがなす角度θが、１０°以上、８０°以下の範囲に入る程度の図が示されている。
　
　これら記載事項及び図示内容を総合し、本願補正発明の記載ぶりに則って整理すると、引用例３には、次の発明（以下、「引用発明３」という。）が記載されていると認められる。
「全体を染めるのに速くできるブラシと毛髪の根元に染液を確実に塗布するためのハケを併せた使いがってのよい染毛用塗布具であって、ブラシと反対方向へ向かってハケを設け、座部のブラシを備えた面を延長してなる仮想面とハケの毛先が向く方向を延長してなる仮想面とがなす角度θが、１０°以上、８０°以下である染毛用塗布具。」
　
　３−２．対比
　本願補正発明と引用発明１とを対比すると、その構造または機能からみて、以下のことがいえる。
　引用発明１の「下面」は、本願補正発明の「片面」に相当し、以下同様に、「ブリッスル２」は「ブラシ歯」に、「垂直に所定パターンで配列され」は「分散立設され」に、「ブラシ台１」は「ブラシ台座」に、「保持」は「把持」に、「柄６」は「握り柄」に、「染毛剤」は「毛髪処理組成物」に、「載置し」は「付着させ」に、「梳く」は「ブラッシング操作を行なう」に、「毛染用」は「毛髪処理組成物塗布用」にそれぞれ相当する。
　そして、引用発明１の「密毛体５」と本願補正発明の「刷毛」は、生え際や揉み上げ部分への塗布具である点において共通である。　
　そこで、本願補正発明の用語を用いて表現すると、両者は次の点で一致する。
（一致点）
「片面にブラシ歯が分散立設されたブラシ台座と、該ブラシ台座から一方向に延設され、使用時に把持される握り柄と、を有し、前記ブラシ台座の前記片面に毛髪処理組成物を付着させ、所望の毛髪に対してブラッシング操作を行なうことにより該毛髪に前記毛髪処理組成物を塗布するための毛髪処理組成物塗布用ブラシにおいて、前記ブラシ台座の前記握り柄と反対方向の先端部に、生え際や揉み上げ部への塗布具を設けた毛髪処理組成物塗布用ブラシ。」
　　
　そして、両者は次の相違点で相違する（対応する引用例１記載の用語を（　）内に示す）。
（相違点１）
　「生え際や揉み上げ部への塗布具」が、本願補正発明ではブラシ台座の先端部に、「ブラシ台座の幅方向と略平行に」設けた「刷毛」であるのに対し、引用発明１では、ブラシ台座の先端部に設けた延在部４に植設した密毛体５である点。
　　
（相違点２）  
　「生え際や揉み上げ部の塗布具」について、本願補正発明は、毛先の向きが「ブラシ歯と反対方向へ向かって」おり、且つ「ブラシ台座を延長してなる仮想面」と「生え際や揉み上げ部への塗布具」の「毛先が向く方向を延長してなる仮想面とがなす角度θが、１０°以上、８０°以下であるのに対し、引用発明１は、「生え際や揉み上げ部への塗布具」（密毛体５）の毛先がブラシ歯（ブリッスル２）と同じ側へ延びている点。
　　
３−３．相違点の判断
　上記相違点について検討する。
（相違点１について）
　引用発明１と引用発明２はどちらも毛染め用ブラシに関するものであり、同一の技術分野に属している。
　しかも、引用発明２の刷毛は、もみ上げ等の毛髪の長さが短い部分や額等の毛髪の生え際に染毛剤を塗布するためのものであるから、引用発明１の「生え際や揉み上げ部への塗布具」である「密毛体５」と機能が共通する。
　よって、引用発明１の生え際や揉み上げ部への塗布具にかえて、引用発明２のブラシ台の幅方向と平行に設けられた刷毛を採用し、相違点１に係る本願補正発明の発明特定事項とすることは当業者が容易に想到し得たものである。
　
（相違点２について）
　引用発明３の「毛髪の根元」は「生え際や揉み上げ部」に相当する。
　そして、引用発明１と引用発明３はどちらも毛染め用ブラシに関するものであり、同一の技術分野に属している。
　しかも、引用発明３の「毛髪の根元に染液を確実に塗布するためのハケ」は引用発明１の「密毛体５」と機能が共通するものである。
　よって、引用発明１の生え際や揉み上げ部への塗布具の毛先が向く方向を、引用発明３のような方向として、相違点２に係る本願補正発明の発明特定事項とすることは当業者が容易に想到し得たものである。
　
　そして、本願補正発明による効果も、引用発明１ないし３から当業者が予測し得た程度のものであって、格別のものとはいえない。
　　　
　したがって、本願補正発明は、引用発明１ないし３に基いて、当業者が容易に発明をすることができたものであるので、特許法第２９条第２項の規定により、特許出願の際独立して特許を受けることができない。
　　　
３−４．むすび
　したがって、本件補正は、平成１８年法律第５５号改正附則第３条第１項により従前の例によるとされる同法による改正前の特許法第１７条の２第５項において準用する同法第１２６条第５項の規定に違反するので、特許法第１５９条第１項において読み替えて準用する同法第５３条第１項の規定により却下すべきものである。
　　　
III.本願発明
　本件補正は、上記のとおり却下されたので、本願の請求項１に係る発明（以下、「本願発明」という。）は、当初明細書の特許請求の範囲の請求項１に記載された事項により特定される、以下のとおりのものである。
　「片面にブラシ歯が分散立設されたブラシ台座と、該ブラシ台座から一方向に延設され、使用時に把持される握り柄と、を有し、前記ブラシ台座の前記片面に毛髪処理組成物を付着させ、所望の毛髪に対してブラッシング操作を行なうことにより該毛髪に前記毛髪処理組成物を塗布するための毛髪処理組成物塗布用ブラシにおいて、
　前記ブラシ台座の前記握り柄と反対方向の先端部に、前記ブラシ歯と反対方向へ向かって刷毛を設け、前記ブラシ台座を延長してなる仮想面と刷毛の毛先が向く方向を延長してなる仮想面とがなす角度θが、１０°以上、８０°以下であることを特徴とする毛髪処理組成物塗布用ブラシ。」
　　　　
IV.引用例の記載事項
　原査定の拒絶の理由に引用された引用例の記載事項は、前記II.３−１に記載したとおりである。
　
Ｖ．対比・判断
　本願発明は、前記II.１の本願補正発明から「刷毛」についての限定事項である「ブラシ台座の幅方向と略平行に」設けるという発明特定事項を省いたものである。
　そうすると、本願発明の発明特定事項をすべて含んでいる本願補正発明が、前記II.３−２，３−３に記載したとおり、引用発明１ないし３に基いて、当業者が容易に発明をすることができたものであるから、本願発明も、同様に、引用発明１ないし３に基いて、当業者が容易に発明をすることができたものである。
　　
VI.むすび
　以上のとおり、本願発明は、引用発明１ないし３に基いて、当業者が容易に発明をすることができたものであるから、特許法第２９条第２項の規定により、特許を受けることができない。
　よって、結論のとおり審決する。